(57)【要約】【課題】正確な払戻処理を行うことが可能な定期券処理システム及び定期券処理方法を提供することを目的とする。【解決手段】有効期限満了前の定期券情報と、同一区間の継続定期券情報とを有する定期券の払戻処理を行う定期券処理システムにおいて、  定期券を受け取る受取部１４と、受取部１４により受け取られた定期券から通用期間情報を含む定期券情報及び継続定期券情報を読み取る読取部１５と、読取部１５により読み取られた定期券情報及び継続定期券情報に基づいて払戻金額を算出するＣＰＵ１１と、を備えたことを特徴とする。【選択図】      図１
2008243083.tif 000002
【特許請求の範囲】
【請求項１】
有効期限満了前の定期券情報を有する定期券を処理して同一区間の継続定期券を発行する定期券処理システムであって、
定期券を受け取る受取手段と、
前記受取手段により受け取られた定期券から通用期間情報を含む定期券情報を読み取る読取手段と、
通用期間区分の入力を受け付ける入力手段と、
前記読取手段により読み取られた定期券情報、及び、前記入力手段により入力された通用期間区分に対応した通用期間情報に基づき継続定期券情報を設定する設定手段と、
前記読取手段により読み取られた定期券情報と、前記設定手段により設定された継続定期券情報とを有する定期券を発行する発行手段と、
を備えたことを特徴とする定期券処理システム。
【請求項２】
前記発行手段は、
前記受取手段により受け取られた定期券に継続定期券情報を書き込む書込手段と、
前記書込手段により継続定期券情報を書き込まれた定期券を返却する返却手段と、
を備えたことを特徴とする請求項１に記載の定期券処理システム。
【請求項３】
有効期限満了前の定期券情報を有する定期券を処理して同一区間の継続定期券を発行する定期券処理システムであって、
定期券を受け取る受取手段と、
前記受取手段により受け取られた定期券から識別情報と、通用期間情報を含む定期券情報とを読み取る読取手段と、
通用期間区分の入力を受け付ける入力手段と、
前記読取手段により読み取られた識別情報及び定期券情報と、前記入力手段により入力された通用期間区分に対応した通用期間情報とに基づき継続定期券情報を設定する設定手段と、
前記設定手段により設定された継続定期券情報を有する定期券を発行する発行手段と、
前記読取手段により読み取られた識別情報に関連付けて通用期間情報を含む定期券情報を記憶する記憶手段と、
を備えたことを特徴とする定期券処理システム。
【請求項４】
有効期限満了前の定期券情報と、同一区間の継続定期券情報とを有する定期券の払戻処理を行う定期券処理システムであって、
定期券を受け取る受取手段と、
前記受取手段により受け取られた定期券から通用期間情報を含む定期券情報及び継続定期券情報を読み取る読取手段と、
前記読取手段により読み取られた定期券情報及び継続定期券情報に基づいて、払戻金額を算出する算出手段と、
を備えたことを特徴とする定期券処理システム。
【請求項５】
有効期限満了前の定期券情報に対応する同一区間の継続定期券情報を有する定期券の払戻処理を行う定期券処理システムであって、
定期券を受け取る受取手段と、
前記受取手段により受け取られた定期券から識別情報及び継続定期券情報を読み取る読取手段と、
定期券の識別情報に関連付けて通用期間情報を含む定期券情報を記憶した記憶手段と、
前記読取手段により読み取られた識別情報に基づいて前記記憶手段から該当する定期券情報を取得する取得手段と、
前記取得手段によって取得した定期券情報及び前記読取手段により読み取られた継続定期券情報に基づいて、払戻金額を算出する算出手段と、
を備えたことを特徴とする定期券処理システム。
【請求項６】
有効期限満了前の定期券情報を有する定期券を処理して同一区間の継続定期券を発行する定期券処理方法であって、
定期券を受け取り、
受け取られた定期券から通用期間情報を含む定期券情報を読み取り、
通用期間区分の入力を受け付け、
読み取られた定期券情報、及び、入力された通用期間区分に対応した通用期間情報に基づき継続定期券情報を設定し、
読み取られた定期券情報と、設定された継続定期券情報とを有する定期券を発行する、ことを特徴とする定期券処理方法。
【請求項７】
有効期限満了前の定期券情報を有する定期券を処理して同一区間の継続定期券を発行する定期券処理方法であって、
定期券を受け取り、
受け取られた定期券から識別情報と、通用期間情報を含む定期券情報とを読み取り、
通用期間区分の入力を受け付け、
読み取られた識別情報及び定期券情報と、入力された通用期間区分に対応した通用期間情報とに基づき継続定期券情報を設定し、
設定された継続定期券情報を有する定期券を発行し、
読み取られた識別情報に関連付けて通用期間情報を含む定期券情報を記憶する、ことを特徴とする定期券処理方法。
【請求項８】
有効期限満了前の定期券情報と、同一区間の継続定期券情報とを有する定期券の払戻処理を行う定期券処理方法であって、
定期券を受け取り、
受け取られた定期券から通用期間情報を含む定期券情報及び継続定期券情報を読み取り、
読み取られた定期券情報及び継続定期券情報に基づいて、払戻金額を算出する、ことを特徴とする定期券処理方法。
【請求項９】
有効期限満了前の定期券情報に対応する同一区間の継続定期券情報を有する定期券の払戻処理を行う定期券処理方法であって、
定期券を受け取り、
受け取られた定期券から識別情報及び継続定期券情報を読み取り、
定期券の識別情報に関連付けて通用期間情報を含む定期券情報を記憶した記憶手段から、読み取られた識別情報に基づいて該当する定期券情報を取得し、
取得した定期券情報及び読み取られた継続定期券情報に基づいて、払戻金額を算出する、ことを特徴とする定期券処理方法。
【発明の詳細な説明】
【技術分野】
【０００１】
この発明は、定期券処理システム及び定期券処理方法に係り、特に、有効期限満了前の定期券情報を有する定期券の処理方法に関する。
【背景技術】
【０００２】
従来、定期券発行機などの定期券処理装置として、発行済の定期券を受け取って払い戻しする払戻機能を有するものが提案されている（例えば、特許文献１参照）。
【０００３】
この特許文献１によれば、定期券の払戻処理を行う際に、係員が指定する払戻事由と、払戻の対象となる定期券の記録内容とにより、払戻種別を判断し、払戻処理を実行するようにした定期券処理装置を開示しており、払戻事由釦を押下するだけで自動的に払戻期間から払戻種別を決定するため、払戻種別を係員が入力する際の誤操作を防止し、操作ミスを減少させようとするものである。
【特許文献１】特開２０００-２６８２０７号公報
【発明の開示】
【発明が解決しようとする課題】
【０００４】
鉄道事業者で運用されている定期券は、一般的に新規／継続の区分、１／３／６ヶ月の通用期間区分などがあり、通用期間によって定期券の料金が割引されている。一般的には、通用期間に対する割引率は、通用期間が長いほど高く、たとえば、１ヶ月定期券の料金を１としたとき、３ヶ月定期券は１ヶ月定期券の２．８５倍、６ヶ月定期券は１ヶ月定期券の５．４倍の料金に設定されている。
【０００５】
このような定期券の発売日は、通用開始日の７日〜１４日前としていることが多く、事前に購入できるようになっている。また、継続定期券も同様に通用開始日以前に購入できるようになっている。このため、有効期限満了前の定期券（旧定期券）及び未使用分の定期券（新定期券）の価値を有した継続定期券が発行されることがある。
【０００６】
このような継続定期券の払戻処理を行う場合、定期券上の価値としては、「旧定期券の残有効日数分＋新定期券の有効期間分」であるが、この旧定期券分としての有効期間中に払戻を行った場合は、「旧定期券部分の払戻額」と「新定期券部分の払戻額（この場合は全額であるが）」が利用者に返却される金額となる。
【０００７】
しかしながら、旧定期券部分の払戻を正確に行うためには、旧定期券の発行日（運賃世代の判断に必要）／通用開始日（払戻対象期間の計算に必要）／通用期間（運賃計算に必要）などの定期券情報が必要となるが、継続定期券として発行されてしまった後では、このような旧定期券に関する定期券情報を知ることができない。このため、旧定期券部分の払戻が正確にできない場合がある。
【０００８】
この発明は、上述した問題点に鑑みなされたものであって、その目的は、正確な払戻処理を行うことが可能な定期券処理システム及び定期券処理方法を提供することにある。
【課題を解決するための手段】
【０００９】
この発明の第１態様による定期券処理システムは、
有効期限満了前の定期券情報を有する定期券を処理して同一区間の継続定期券を発行する定期券処理システムであって、
定期券を受け取る受取手段と、
前記受取手段により受け取られた定期券から通用期間情報を含む定期券情報を読み取る読取手段と、
通用期間区分の入力を受け付ける入力手段と、
前記読取手段により読み取られた定期券情報、及び、前記入力手段により入力された通用期間区分に対応した通用期間情報に基づき継続定期券情報を設定する設定手段と、
前記読取手段により読み取られた定期券情報と、前記設定手段により設定された継続定期券情報とを有する定期券を発行する発行手段と、
を備えたことを特徴とする。
【００１０】
この発明の第２態様による定期券処理システムは、
有効期限満了前の定期券情報を有する定期券を処理して同一区間の継続定期券を発行する定期券処理システムであって、
定期券を受け取る受取手段と、
前記受取手段により受け取られた定期券から識別情報と、通用期間情報を含む定期券情報とを読み取る読取手段と、
通用期間区分の入力を受け付ける入力手段と、
前記読取手段により読み取られた識別情報及び定期券情報と、前記入力手段により入力された通用期間区分に対応した通用期間情報とに基づき継続定期券情報を設定する設定手段と、
前記設定手段により設定された継続定期券情報を有する定期券を発行する発行手段と、
前記読取手段により読み取られた識別情報に関連付けて通用期間情報を含む定期券情報を記憶する記憶手段と、
を備えたことを特徴とする。
【００１１】
この発明の第３態様による定期券処理システムは、
有効期限満了前の定期券情報と、同一区間の継続定期券情報とを有する定期券の払戻処理を行う定期券処理システムであって、
定期券を受け取る受取手段と、
前記受取手段により受け取られた定期券から通用期間情報を含む定期券情報及び継続定期券情報を読み取る読取手段と、
前記読取手段により読み取られた定期券情報及び継続定期券情報に基づいて、払戻金額を算出する算出手段と、
を備えたことを特徴とする。
【００１２】
この発明の第４態様による定期券処理システムは、
有効期限満了前の定期券情報に対応する同一区間の継続定期券情報を有する定期券の払戻処理を行う定期券処理システムであって、
定期券を受け取る受取手段と、
前記受取手段により受け取られた定期券から識別情報及び継続定期券情報を読み取る読取手段と、
定期券の識別情報に関連付けて通用期間情報を含む定期券情報を記憶した記憶手段と、
前記読取手段により読み取られた識別情報に基づいて前記記憶手段から該当する定期券情報を取得する取得手段と、
前記取得手段によって取得した定期券情報及び前記読取手段により読み取られた継続定期券情報に基づいて、払戻金額を算出する算出手段と、
を備えたことを特徴とする。
【００１３】
この発明の第５態様による定期券処理方法は、
有効期限満了前の定期券情報を有する定期券を処理して同一区間の継続定期券を発行する定期券処理方法であって、
定期券を受け取り、
受け取られた定期券から通用期間情報を含む定期券情報を読み取り、
通用期間区分の入力を受け付け、
読み取られた定期券情報、及び、入力された通用期間区分に対応した通用期間情報に基づき継続定期券情報を設定し、
読み取られた定期券情報と、設定された継続定期券情報とを有する定期券を発行する、ことを特徴とする。
【００１４】
この発明の第６態様による定期券処理方法は、
有効期限満了前の定期券情報を有する定期券を処理して同一区間の継続定期券を発行する定期券処理方法であって、
定期券を受け取り、
受け取られた定期券から識別情報と、通用期間情報を含む定期券情報とを読み取り、
通用期間区分の入力を受け付け、
読み取られた識別情報及び定期券情報と、入力された通用期間区分に対応した通用期間情報とに基づき継続定期券情報を設定し、
設定された継続定期券情報を有する定期券を発行し、
読み取られた識別情報に関連付けて通用期間情報を含む定期券情報を記憶する、ことを特徴とする。
【００１５】
この発明の第７態様による定期券処理方法は、
有効期限満了前の定期券情報と、同一区間の継続定期券情報とを有する定期券の払戻処理を行う定期券処理方法であって、
定期券を受け取り、
受け取られた定期券から通用期間情報を含む定期券情報及び継続定期券情報を読み取り、
読み取られた定期券情報及び継続定期券情報に基づいて、払戻金額を算出する、ことを特徴とする。
【００１６】
この発明の第８態様による定期券処理方法は、
有効期限満了前の定期券情報に対応する同一区間の継続定期券情報を有する定期券の払戻処理を行う定期券処理方法であって、
定期券を受け取り、
受け取られた定期券から識別情報及び継続定期券情報を読み取り、
定期券の識別情報に関連付けて通用期間情報を含む定期券情報を記憶した記憶手段から、読み取られた識別情報に基づいて該当する定期券情報を取得し、
取得した定期券情報及び読み取られた継続定期券情報に基づいて、払戻金額を算出する、ことを特徴とする。
【発明の効果】
【００１７】
この発明によれば、正確な払戻処理を行うことが可能な定期券処理システム及び定期券処理方法を提供することができる。
【発明を実施するための最良の形態】
【００１８】
以下、この発明の一実施の形態に係る定期券処理システム及び定期券処理方法について図面を参照して説明する。
【００１９】
≪第１実施形態≫
まず、第１実施形態に係る定期券処理システム及び定期券処理方法について説明する。すなわち、図１に示すように、定期券処理システムとして機能する定期券処理装置は、装置の制御を司るとともに設定手段及び算出手段として機能するＣＰＵ１１を備えている。このＣＰＵ１１には、メモリ部１２、表示部１３、受取手段として機能する受取部１４、読取手段として機能する読取部１５、入力手段として機能する入力部１６、発行手段として機能する発行部１７などが接続されている。
【００２０】
メモリ部１２は、装置の制御に必要なデータなどの各種データを記憶しているとともに、読取部１５を介して読み取った情報などを一時的に記憶する機能を有している。表示部１３は、読取部１５を介して読み取った情報や入力部１６を介して入力された情報などの各種情報を表示する機能を有している。
【００２１】
受取部１４は、発行済みの定期券を受け取るとともに、受け取った定期券を読取部１５に搬送する機能を有している。読取部１５は、受け取った定期券から定期券固有の識別情報（ＩＤや券番号など）や定期券情報を読み取る機能を有している。定期券情報としては、利用者の個人情報や、発行日、通用開始日、有効期間、有効区間、通用期間などに対応する各種情報が含まれる。入力部１６は、新規／継続の区分や、１／３／６ヶ月の通用期間区分などの入力を受け付ける機能を有している。
【００２２】
ＣＰＵ１１は、読取部１５を介して読み取られた情報（特に定期券情報）や、入力部１６を介して入力された各種区分に対応した情報（特に通用期間区分に対応した通用期間情報）などに基づいて、継続定期券として機能させるために必要な継続定期券情報を設定する。
【００２３】
発行部１７は、入力部１６を介して入力された各種区分に対応した情報などに基づいて新規の定期券を発行する機能を有するとともに、ＣＰＵ１１により設定された継続定期券情報に基づいて継続定期券を発行する機能を有している。この発行部１７は、書込手段として機能する書込部１８、返却手段として機能する返却部１９などを備えて構成されている。書込部１８は、受取部１４を介して受け取った定期券に対して元々記憶されていた定期券情報に加えて継続定期券情報を書き込む機能を有している。返却部１９は、書込部１８によって継続定期券情報を書き込まれた定期券を返却する機能を有している。
【００２４】
つまり、この第１実施形態においては、定期券処理装置は、有効期限満了前の定期券情報（旧券情報）を有する定期券に対して、この旧券情報に加えて新たに設定した継続定期券情報（新券情報）を付加し、旧券情報及び新券情報を有する定期券を発行するように構成されている。
【００２５】
また、この定期券処理装置は、このような有効期限満了前の定期券情報（旧券情報）及び同一区間の継続定期券情報（新券情報）を有する定期券の払戻処理の際には、ＣＰＵ１１がこれらの旧券情報及び新券情報に基づいて払戻金額を算出するように構成されている。
【００２６】
次に、この第１実施形態において、有効期限満了前の定期券情報を有する定期券を処理して同一区間の継続定期券を発行する場合の処理について説明する。なお、以下の説明においては、対価の授受に関する説明は省略する。
【００２７】
図２に示すように、ＣＰＵ１１は、受取部１４を介して定期券を受け取ったのに基づいて（ＳＴ１１、Ｙ）、受け取った定期券を読取部１５に搬送させる。そして、ＣＰＵ１１は、読取部１５を制御して定期券から通用期間情報を含む定期券情報を読み取る（ＳＴ１２）。そして、ＣＰＵ１１は、有効期限満了前に同一区間の継続定期券の発行を要求されたと判断した場合には、入力部１６を介した通用期間区分の入力を受け付ける（ＳＴ１３）。
【００２８】
ＣＰＵ１１は、入力部１６を介して通用期間区分の入力を受け付けたと判断した場合には（ＳＴ１３、Ｙ）、読取部１５を介して読み取った定期券情報、及び、入力部１６を介して入力された通用期間区分に対応した通用期間情報に基づいて継続定期券情報を設定する（ＳＴ１４）。また、ＣＰＵ１１は、入力部１６を介して通用期間区分の入力を受け付けなかったと判断した場合には（ＳＴ１３、Ｎ）、読取部１５を介して読み取った定期券情報、及び、定期券情報に含まれていた通用期間情報（つまり、旧定期券と新定期券とが同一の通用期間となる）に基づいて継続定期券情報を設定する（ＳＴ１４）。
【００２９】
そして、ＣＰＵ１１は、発行部１７を制御して、受け取った定期券が元々有していた定期券情報（旧券情報）と、新たに設定した継続定期券情報（新券情報）とを有する定期券を発行する（ＳＴ１５）。このとき、発行部１７においては、受け取った定期券に対して旧券情報を消去することなく書込部１８を介して新券情報を書き込む。そして、発行部１７においては、返却部１９を介して旧券情報及び新券情報を有する定期券（継続定期券；新定期券）を返却する。
【００３０】
このように、旧券情報及び新券情報を有する継続定期券を発行することにより、たとえ旧券情報と新券情報との間で通用期間が異なる場合であっても、これらの情報に基づいて、「旧定期券部分の払戻額」と「新定期券部分の払戻額」とを正確に算出することが可能となる。
【００３１】
次に、この第１実施形態において、有効期限満了前の定期券情報と、同一区間の継続定期券情報とを有する定期券の払戻処理について説明する。
【００３２】
図３に示すように、ＣＰＵ１１は、受取部１４を介して定期券を受け取ったのに基づいて（ＳＴ２１、Ｙ）、受け取った定期券を読取部１５に搬送させる。そして、ＣＰＵ１１は、読取部１５を制御して定期券から通用期間情報を含む定期券情報及び継続定期券情報を読み取る（ＳＴ２２）。
【００３３】
そして、ＣＰＵ１１は、読み取った定期券情報及び継続定期券情報に基づいて、払戻金額を算出する（ＳＴ２３）。すなわち、ＣＰＵ１１は、定期券情報に基づいて「旧定期券部分の払戻額」を算出し、継続定期券情報に基づいて「新定期券部分の払戻額」を算出する。そして、ＣＰＵ１１は、これらの払戻額を合算した金額を利用者に払い戻す。
【００３４】
このような第１実施形態によれば、旧券情報及び新券情報を有する定期券を、旧券としての有効期限満了前に払戻処理を行う場合、たとえ旧券情報と新券情報との間で通用期間が異なる場合であっても、これらの情報に基づいて、「旧定期券部分の払戻額」と「新定期券部分の払戻額」とを算出することが可能となり、正確な払戻処理を行うことができる。
【００３５】
≪第２実施形態≫
第２実施形態に係る定期券処理システム及び定期券処理方法について説明する。すなわち、図３に示すように、定期券処理システムは、定期券処理装置１０と、この定期券処理装置１０の上位機器に相当するとともに記憶手段として機能するサーバ３０とによって構成されている。定期券処理装置１０とサーバ３０とは、通信回線を介して接続可能であり、両者の間で各種情報の授受が可能である。
【００３６】
定期券処理装置１０は、装置の制御を司るとともに、設定手段、取得手段、及び、算出手段として機能するＣＰＵ１１を備えている。このＣＰＵ１１には、第１実施形態と同様に、メモリ部１２、表示部１３、受取手段として機能する受取部１４、読取手段として機能する読取部１５、入力手段として機能する入力部１６、発行手段として機能する発行部１７などが接続されている。これらの各種構成については、第１実施形態と同様であり、詳細な説明を省略する。定期券処理装置１０は、さらに、ＣＰＵ１１の制御に基づいてサーバ３０との間で各種データの授受を行う通信制御部２０を備えている。
【００３７】
この第２実施形態においては、ＣＰＵ１１は、読取部１５を介して読み取られた識別情報及び定期券情報や、入力部１６を介して入力された各種区分に対応した情報（特に通用期間区分に対応した通用期間情報）などに基づいて、継続定期券として機能させるために必要な継続定期券情報を設定する。
【００３８】
発行部１７は、入力部１６を介して入力された各種区分に対応した情報などに基づいて新規の定期券を発行する機能を有するとともに、ＣＰＵ１１により設定された継続定期券情報に基づいて継続定期券を発行する機能を有している。この発行部１７は、受取部１４を介して受け取った定期券に対して元々記憶されていた定期券情報に代えて継続定期券情報を書き込んだ後に、返却するように構成してもよいし、受取部１４を介して受け取った定期券を回収する一方で、新規の媒体に対して継続定期券情報を書き込んだ後に、返却するように構成してもよい。
【００３９】
つまり、この第２実施形態においては、定期券処理装置１０は、有効期限満了前の定期券情報（旧券情報）を有する定期券に対する継続定期券の発行要求に応じて、継続定期券情報（新券情報）を有する定期券を発行するように構成されている。その一方で、定期券処理装置１０は、読取部１５を介して読み取った通用期間情報を含む定期券情報と識別情報とを関連付けて、ＣＰＵ１１の制御に基づき通信制御部２０を介してサーバ３０に送信する。サーバ３０では、定期券処理装置１０から送信された定期券情報及び識別情報を関連付けて記憶する。
【００４０】
また、この定期券処理装置は、このような有効期限満了前の定期券情報（旧券情報）に対応する同一区間の継続定期券情報（新券情報）を有する定期券の払戻処理の際には、ＣＰＵ１１が当該処理対象の定期券の識別情報に基づいてサーバ３０から該当する定期券情報を取得し、取得した定期券情報及び読み取った継続定期券情報に基づいて払戻金額を算出するように構成されている。
【００４１】
次に、この第２実施形態において、有効期限満了前の定期券情報を有する定期券を処理して同一区間の継続定期券を発行する場合の処理について説明する。なお、以下の説明においては、対価の授受に関する説明は省略する。
【００４２】
図４に示すように、ＣＰＵ１１は、受取部１４を介して定期券を受け取ったのに基づいて（ＳＴ３１、Ｙ）、受け取った定期券を読取部１５に搬送させる。そして、ＣＰＵ１１は、読取部１５を制御して定期券から識別情報及び通用期間情報を含む定期券情報を読み取る（ＳＴ３２）。そして、ＣＰＵ１１は、有効期限満了前に同一区間の継続定期券の発行を要求されたと判断した場合には、入力部１６を介した通用期間区分の入力を受け付ける（ＳＴ３３）。
【００４３】
ＣＰＵ１１は、入力部１６を介して通用期間区分の入力を受け付けたと判断した場合には（ＳＴ３３、Ｙ）、読取部１５を介して読み取った定期券情報、及び、入力部１６を介して入力された通用期間区分に対応した通用期間情報に基づいて継続定期券情報を設定する（ＳＴ３４）。また、ＣＰＵ１１は、入力部１６を介して通用期間区分の入力を受け付けなかったと判断した場合には（ＳＴ３３、Ｎ）、読取部１５を介して読み取った定期券情報、及び、定期券情報に含まれていた通用期間情報（つまり、旧定期券と新定期券とが同一の通用期間となる）に基づいて継続定期券情報を設定する（ＳＴ３４）。
【００４４】
そして、ＣＰＵ１１は、発行部１７を制御して、新たに設定した継続定期券情報（新券情報）を有する定期券を発行する（ＳＴ３５）。このとき、発行部１７においては、例えば、受け取った定期券に対して旧券情報を消去する一方で、新券情報を書き込む。そして、発行部１７においては、新券情報を有する定期券（継続定期券；新定期券）を返却する。
【００４５】
一方、ＣＰＵ１１は、通信制御部２０を制御して、読取部１５を介して読み取った識別情報及び旧券情報（発行部１７において消去した旧券情報に相当する）をサーバ３０に送信する。サーバ３０は、定期券処理装置から送信された識別情報と旧券情報とを関連付けて記憶する（ＳＴ３６）。
【００４６】
このように、新券情報を有する継続定期券を発行する一方で、通用期間情報を含む旧券情報を識別情報と関連付けてサーバで保持することにより、たとえ旧券情報と新券情報との間で通用期間が異なる場合であっても、これらの情報に基づいて、「旧定期券部分の払戻額」と「新定期券部分の払戻額」とを正確に算出することが可能となる。
【００４７】
次に、この第２実施形態において、有効期限満了前の定期券情報に対応する同一区間の継続定期券情報を有する定期券の払戻処理について説明する。
【００４８】
図６に示すように、ＣＰＵ１１は、受取部１４を介して定期券を受け取ったのに基づいて（ＳＴ４１、Ｙ）、受け取った定期券を読取部１５に搬送させる。そして、ＣＰＵ１１は、読取部１５を制御して定期券から識別情報及び通用期間情報を含む継続定期券情報を読み取る（ＳＴ４２）。
【００４９】
そして、ＣＰＵ１１は、通信制御部２０を制御して、読み取った識別情報に基づいて、サーバ３０から該当する定期券情報を取得する（ＳＴ４３）。そして、ＣＰＵ１１は、取得した定期券情報及び読取部１５を介して読み取った継続定期券情報に基づいて、払戻金額を算出する（ＳＴ４４）。すなわち、ＣＰＵ１１は、定期券情報に基づいて「旧定期券部分の払戻額」を算出し、継続定期券情報に基づいて「新定期券部分の払戻額」を算出する。そして、ＣＰＵ１１は、これらの払戻額を合算した金額を利用者に払い戻す。
【００５０】
このような第２実施形態によれば、新券情報を有する定期券を旧券としての有効期限満了前に払戻処理を行う場合、たとえ旧券情報と新券情報との間で通用期間が異なる場合であっても、サーバから取得した旧券情報と、定期券から読み取った新券情報とに基づいて、「旧定期券部分の払戻額」と「新定期券部分の払戻額」とを算出することが可能となり、正確な払戻処理を行うことができる。
【００５１】
なお、この第２実施形態においては、定期券から識別情報及び新券情報を読み取るのに代えて、係員が払戻処理に必要な情報を入力部を介して入力するようにしても良い。また、サーバにおいて、旧券情報のみならず、識別情報に関連付けて旧券情報及び新券情報を保持するように構成してもよい。この場合、定期券の識別情報に基づいて、サーバから払戻処理に必要な旧券情報及び新券情報を取得することが可能である。そして、このようなサーバから返信された新旧２種類の券情報を元に、旧券分及び新券分の払戻額を算出し、合計したものを利用者に返却するように構成してもよい。また、サーバからは、対象定期券が払戻可能なものか否かを判断した結果「可」の場合にのみ払戻を許可するといったようなことも行うことができる。
【００５２】
また、係員が利用者に確認して旧券情報を設定してもよい。この場合、利用者から受け取った定期券から払戻処理に必要な情報を読み取った後、係員が旧券分の必要情報を利用者に確認して、申告による情報に基づいた条件を入力部を介して入力する。ＣＰＵ１１は、読み取った新券分の情報を元に新券分の払戻額を算出するとともに、係員が設定した旧券分の情報を元に旧券分の払戻額を算出し、合計した金額を利用者に返却するように構成されている。
【００５３】
以上説明したように、この実施の形態によれば、定期券の払戻処理に必要な情報すなわち通用期間情報を含む旧券情報及び新券情報を保持する定期券処理システムにより、払戻額の計算を適切に行うことが可能となる。このうち、旧券情報は、定期券に保持しておいてもよいし、サーバ側で保持するように構成してもよい。
【００５４】
なお、この発明は、上記実施形態そのものに限定されるものではなく、その実施の段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【００５５】
例えば、上述した第１実施形態では定期券に定期券情報（旧券情報）を保存し、また、第２実施形態ではサーバに旧券情報を保存したが、旧券情報のうち少なくとも正確な払戻処理を行うのに必要な情報、例えば通用期間情報を保存するように構成してもよい。
【００５６】
また、払戻対象の定期券としては、無線通信方式の定期券や磁気式の定期券のいずれであってもよい。
【図面の簡単な説明】
【００５７】
【図１】図１は、この発明の第１実施形態に係る定期券処理システム（定期券処理装置）の構成を概略的に示すブロック図である。
【図２】図２は、第１実施形態に係る定期券処理システムに適用可能な定期券処理方法（継続定期券の発行処理）を説明するためのフローチャートである。
【図３】図３は、第１実施形態に係る定期券処理システムに適用可能な定期券処理方法（継続定期券の払戻処理）を説明するためのフローチャートである。
【図４】図４は、この発明の第２実施形態に係る定期券処理システムの構成を概略的に示すブロック図である。
【図５】図５は、第２実施形態に係る定期券処理システムに適用可能な定期券処理方法（継続定期券の発行処理）を説明するためのフローチャートである。
【図６】図６は、第１実施形態に係る定期券処理システムに適用可能な定期券処理方法（継続定期券の払戻処理）を説明するためのフローチャートである。
【符号の説明】
【００５８】
１０…定期券処理装置  １１…ＣＰＵ  １２…メモリ部  １３…表示部  １４…受取部
１５…読取部  １６…入力部  １７…発行部  １８…書込部  １９…返却部  ２０…通信制御部
３０…サーバ
【図１】
2008243083.tif 000003
【図２】
2008243083.tif 000004
【図３】
2008243083.tif 000005
【図４】
2008243083.tif 000006
【図５】
2008243083.tif 000007
【図６】
2008243083.tif 000008